(57)【要約】  【課題】デジタルカメラ等においてタッチパネル等の接触式のポインティングデバイスの操作により各種指示入力を行えるようにし、操作部材の数を減らすと共に操作性の向上を図る情報表示画面を備えた携帯機器を提供する。  【解決手段】デジタルカメラ１０のカメラ本体１２の背面側にはスルー画等を表示するための液晶モニタが配設され、カメラ本体１２の正面側にはタッチパネル１８が配設されている。タッチパネル１８の操作により、液晶モニタの画面上での所望の位置を指定し所定の指示を入力することができるようになっている。【選択図】  図１
2006319903.tif 000002
【特許請求の範囲】
【請求項１】
携帯機器の筐体と、
前記筐体に設けられ、所要の情報を表示する画面を備えた情報表示部と、
前記筐体において前記情報表示部と異なる位置に設けられると共に、２次元の検出面を備え、該検出面上での接触位置を検出する接触位置検出部と、
前記接触位置検出部により検出された接触位置に対応する前記情報表示部の画面上の位置をユーザにより指定された入力位置とし、該入力位置を指定する前記検出面上での操作に基づいて、前記情報表示部の画面に表示した情報に対応した処理を実行する処理手段と、
を備えたことを特徴とする情報表示画面を備えた携帯機器。
【請求項２】
前記情報表示部と前記接触位置検出部は、それぞれ前記筐体の互いに反対向きとなる面に設けられたことを特徴とする請求項１の情報表示画面を備えた携帯機器。
【請求項３】
前記携帯機器は、撮影画角の変更が可能な撮像装置を含む機器であり、前記処理手段は、前記情報表示部の画面に表示したスルー画に対して行われた前記検出面上での操作に基づいて撮影画角を設定することを特徴とする請求項１又は２の情報表示画面を備えた携帯機器。
【請求項４】
前記処理手段は、前記検出面上での操作により指定された２点の入力位置の一方の入力位置が他方の入力位置に一致するように撮影画角を変更することを特徴とする請求項３の情報表示画面を備えた携帯機器。
【請求項５】
前記携帯機器は、自動の焦点調節が可能な撮像装置を含む機器であり、前記処理手段は、前記情報表示部の画面に表示したスルー画に対して、前記検出面上での操作により指定された入力位置の被写体に合焦するように焦点調節を行うことを特徴とする請求項１、２、３、又は、４の情報表示画面を備えた携帯機器。
【請求項６】
前記処理手段は、前記情報表示部の画面に表示した画像に対して行われた前記検出面上での操作に基づいて前記画像からトリミングする画像範囲を設定することを特徴とする請求項１〜５のうちいずれか１に記載の情報表示画面を備えた携帯機器。
【請求項７】
前記処理手段は、前記検出面上での操作により指定された２点の指定位置を対角線とする矩形状の範囲をトリミングする画像範囲として設定することを特徴とする請求項６の情報表示画面を備えた携帯機器。
【請求項８】
前記接触位置検出部は、タッチパネルであることを特徴とする請求項１〜７のうちいずれか１に記載の情報表示画面を備えた携帯機器。
【発明の詳細な説明】
【技術分野】
【０００１】
本発明は情報表示画面を備えた携帯機器に係り、特に液晶モニタ等の表示画面上に表示された情報に対する操作をタッチパネルを用いて行うことができる情報表示画面を備えた携帯機器に関する。
【背景技術】
【０００２】
特許文献１には、デジタルカメラ等のカメラ本体の背面に設けられた液晶モニタにタッチパネルを配設し、液晶モニタの画面をタッチすることによって、タッチした位置（座標値）に応じた処理の実行を指示入力できるようにしたものが提案されている。
【特許文献１】特開２００１―１２４５４４号公報
【発明の開示】
【発明が解決しようとする課題】
【０００３】
従来、デジタルカメラの筐体の小型軽量化が進んでいる一方で、カメラ本体の液晶モニタの高画質化に対応するために液晶モニタの大型化の要求がある。そのため、操作部材の位置が端に寄り、かつ、小型にならざるを得ず、操作性が低下してしまうという問題があった。特に被写体をフレーミングしながらズーム操作等を行うことが難しくなっている。
【０００４】
一方、上記特許文献１のように液晶モニタにタッチパネルを配設し、タッチパネルでの操作によって各種指示入力を行えるようにすると、操作部材を減らすことが可能となる。しかしながら、タッチパネルを操作する手等によって液晶モニタの画面が隠れてしまうため操作性が良くないという問題があった。また、タッチパネルを操作する手をカメラ本体から離さなくてはならず被写体をフレーミングしながら操作することも困難であった。
【０００５】
本発明はこのような事情に鑑みてなされたもので、タッチパネル等の接触式のポインティングデバイスの操作により各種指示入力を行えるようにし、操作部材の数を減らすためと共に操作性の向上を図る情報表示画面を備えた携帯機器を提供することを目的とする。
【課題を解決するための手段】
【０００６】
前記目的を達成するために、請求項１に記載の情報表示画面を備えた携帯機器は、携帯機器の筐体と、前記筐体に設けられ、所要の情報を表示する画面を備えた情報表示部と、前記筐体において前記情報表示部と異なる位置に設けられると共に、２次元の検出面を備え、該検出面上での接触位置を検出する接触位置検出部と、前記接触位置検出部により検出された接触位置に対応する前記情報表示部の画面上の位置をユーザにより指定された入力位置とし、該入力位置を指定する前記検出面上での操作に基づいて、前記情報表示部の画面に表示した情報に対応した処理を実行する処理手段と、を備えたことを特徴としている。
【０００７】
本発明によれば、液晶モニタ等の情報表示部とタッチパネル等の接触位置検出部とが異なる位置に配設されるため、タッチパネルを操作する指（手）等によって情報表示部の画面が隠れて画面が見にくいという不具合を防止することができる。また、携帯機器を把持した状態で操作できる位置に接触位置検出部を配置することが可能であり、操作性が良い。
【０００８】
請求項２に記載の情報表示画面を備えた携帯機器は、請求項１に記載の発明において、前記情報表示部と前記接触位置検出部は、それぞれ前記筐体の互いに反対向きとなる面に設けられたことを特徴としている。
【０００９】
本発明によれば、ユーザが情報表示部の画面を見るために画面を自分の方向に向けて筐体を把持した場合、通常、指は情報表示部の裏側の面に置かれるため、そのように筐体を把持しながら接触位置検出部を操作することができる。
【００１０】
請求項３に記載の情報表示画面を備えた携帯機器は、請求項１又は２に記載の発明において、前記携帯機器は、撮影画角の変更が可能な撮像装置を含む機器であり、前記処理手段は、前記情報表示部の画面に表示したスルー画に対して行われた前記検出面上での操作に基づいて撮影画角を設定することを特徴としている。
【００１１】
本発明は、情報表示部の画面上での操作によりデジタルカメラ等の撮像装置におけるズーム操作を行えるようにしたものである。
【００１２】
請求項４に記載の情報表示画面を備えた携帯機器は、請求項３に記載の発明において、前記処理手段は、前記検出面上での操作により指定された２点の入力位置の一方の入力位置が他方の入力位置に一致するように撮影画角を変更することを特徴としている。
【００１３】
本発明は、情報表示部の画面上での操作により撮影画角の操作を行えるようにした場合において、撮影画角を変更する方法の一態様を示している。
【００１４】
請求項５に記載の情報表示画面を備えた携帯機器は、請求項１、２、３、又は、４に記載の発明において、前記携帯機器は、自動の焦点調節が可能な撮像装置を含む機器であり、前記処理手段は、前記情報表示部の画面に表示したスルー画に対して、前記検出面上での操作により指定された入力位置の被写体に合焦するように焦点調節を行うことを特徴としている。
【００１５】
本発明は、情報表示部の画面上での操作によりデジタルカメラ等の撮像装置における自動焦点調節（オートフォーカス）の対象被写体を指定できるようにしたものである。
【００１６】
請求項６に記載の情報表示画面を備えた携帯機器は、請求項１〜５のうちいずれか１に記載の発明において、前記処理手段は、前記情報表示部の画面に表示した画像に対して行われた前記検出面上での操作に基づいて前記画像からトリミングする画像範囲を設定することを特徴としている。
【００１７】
本発明は、情報表示部の画面上での操作により画像のトリミング範囲を設定できるようにしたものである。
【００１８】
請求項７に記載の情報表示画面を備えた携帯機器は、請求項６に記載の発明において、前記処理手段は、前記検出面上での操作により指定された２点の指定位置を対角線とする矩形状の範囲をトリミングする画像範囲として設定することを特徴としている。
【００１９】
本発明は、情報表示部の画面上での操作により画像のトリミング範囲を設定できるようにした場合に、そのトリミング範囲を設定する方法の一態様を示している。
【００２０】
請求項８に記載の情報表示画面を備えた携帯機器は、請求項１〜８のうちいずれか１に記載の発明において、前記接触位置検出部は、タッチパネルであることを特徴としている。
【発明の効果】
【００２１】
本発明によれば、タッチパネル等の接触式のポインティングデバイスの操作により各種指示入力を行うことができるため操作部材を減らすことができ、また、液晶モニタ等の情報表示部と異なる位置にそのポインティングデバイスが配設されるために操作の際に表示画面が隠れることが無く、操作性が良い。
【発明を実施するための最良の形態】
【００２２】
以下、添付図面に従って本発明に係る情報表示画面を備えた携帯機器を実施するための最良の形態について詳細に説明する。
【００２３】
図１及び図２は、本発明が適用されたデジタルカメラの外観を簡易的に示した正面斜視図及び背面斜視図である。本デジタルカメラ１０は主に静止画を撮影するための撮像装置であり、図１において、デジタルカメラ１０のカメラ本体（筐体）１２の前面には、撮影レンズ１４、ストロボ発光部１６、タッチパネル１８が示され、カメラ本体１２の上面には、シャッタボタン２０、電源／モードスイッチ２２が示されている。また、図２において、カメラ本体１２の背面には、液晶モニタ２４が示されている。尚、カメラ本体１２には、図１、２に示した構成要素の他に光学ファインダー、メモリカードを装着するカードスロット、所要のスイッチ等が設けられているが図では省略している。
【００２４】
撮影レンズ１４にはズームレンズが適用され、撮影レンズ１４の後方には撮像素子として例えば数百万画素のＣＣＤが配置されている。シャッタボタン２０は２段階式に構成され、シャッタボタン２０を軽く押して止める「半押し」の状態で自動焦点調節（ＡＦ）及び自動露出制御（ＡＥ）が作動してＡＦとＡＥをロックし、「半押し」から更に押し込む「全押し」の状態で撮影が実行される。
【００２５】
タッチパネル１８は、指等が接触した位置（タッチされた位置）を検出する検出面を備えた接触式のポインティングデバイスであり、後述のように撮影者は各種指示入力をタッチパネル１８での操作によって行うことができるようになっている。
【００２６】
電源／モードスイッチ２２は、デジタルカメラ１０の電源をＯＮ／ＯＦＦする電源スイッチとして機能するとともに、デジタルカメラ１０のモードを設定するモードスイッチとして機能し、「ＯＦＦ位置」、「再生位置」、「撮影位置」の間をスライド自在に設けられている。デジタルカメラ１０は、この電源／モードスイッチ２２を「再生位置」又は「撮影位置」に合わせることにより、電源がＯＮになり、「ＯＦＦ位置」に合わせることにより、電源がＯＦＦになる。また、電源／モードスイッチ２２を「再生位置」に合わせることにより「再生モード」に設定され、「撮影位置」に合わせることにより「撮影モード」に設定される。そして、「撮影モード」に設定されると、画像の記録が可能になり、「再生モード」に設定されると、記録済み画像の再生が可能になる。
【００２７】
液晶モニタ２４は、撮影を行う撮影モード時に画角確認用の電子ファインダーとして使用できるとともに、撮影した画像のプレビュー画や再生モード時においてメモリカードから読み出した再生画像等を表示する表示手段である。
【００２８】
撮影者は、例えば、撮影モード時において液晶モニタ２４に映し出される画像（スルー画）を確認しながら、タッチパネル１８での所定操作によってズーム操作等を行い、撮影画角を決定してシャッタボタン２０を押下することによって撮影を行う。
【００２９】
図３は、上記デジタルカメラ１０の電気的構成を示すブロック図である。同図に示すように、デジタルカメラ１０は、ＣＰＵ５０、操作部（シャッタボタン２０、電源／モードスイッチ２２等のタッチパネル１８を除く操作部）５２、ＲＯＭ５６、ＥＥＰＲＯＭ５８、メモリ（ＳＤＲＡＭ）６０、ＶＲＡＭ６２、撮影光学系６６、フォーカスモータドライバ６８、ズームモータドライバ７０、アイリスモータドライバ７２、撮像素子７４、タイミングジェネレータ（ＴＧ）７６、アナログ信号処理回路７８、Ａ／Ｄ変換器８０、画像入力コントローラ８２、画像信号処理回路８４、圧縮・伸張処理回路８６、メディアコントローラ８８、記憶メディア（メモリカード）９０、エンコーダ９２、ＡＥ／ＡＷＢ検出回路９４、ＡＦ検出回路９６、ストロボ制御回路９８、音声入力処理回路１００、音声出力処理回路１０２、電源制御回路１０４、タッチパネル処理回路１０６等で構成されている。
【００３０】
ＣＰＵ５０は、デジタルカメラ１０の全体の動作を制御する制御部として機能するとともに、各種の演算処理を行う演算手段として機能し、操作部５２やタッチパネル１８からの入力に基づき所定の制御プログラムに従って各回路を制御する。
【００３１】
バス５４を介して接続されたＲＯＭ５６には、ＣＰＵ５０が実行する制御プログラム及び制御に必要な各種データ等が格納されており、ＥＥＰＲＯＭ５８には、ユーザ設定情報等のデジタルカメラ１０の動作に関する各種設定情報等が格納されている。
【００３２】
メモリ（ＳＤＲＡＭ）６０は、ＣＰＵ５０の演算作業用領域として利用されるとともに、画像データの一時記憶領域として利用され、ＶＲＡＭ６２は、表示用の画像データ専用の一時記憶領域として利用される。
【００３３】
撮影光学系６６は、レンズ部１０８と絞り１１０とで構成されている。レンズ部１０８は、図示しないフォーカスモータに駆動されて光軸に沿って前後移動するフォーカスレンズ１０８Ｆと、図示しないズームモータに駆動されて光軸に沿って前後移動するズームレンズ１０８Ｚとを備えている。ＣＰＵ５０は、フォーカスモータドライバ６８を介してフォーカスモータの駆動を制御することにより、撮影光学系６６のフォーカスを制御し、ズームモータドライバ７０を介してズームモータの駆動を制御することにより、撮影光学系６６のズームを制御する。絞り１１０は、図示しないアイリスモータに駆動されることにより、開口量（絞り値）が変化する。ＣＰＵ５０は、アイリスモータドライバ７２を介してアイリスモータの駆動を制御することにより、絞り１１０の絞り値を制御する。
【００３４】
撮像素子７４は、所定のカラーフィルタ配列（たとえば、ベイヤ配列）のカラーＣＣＤで構成されている。撮影光学系６６を介して撮像素子７４の受光面に入射した光は、その受光面に規則的に配列された各フォトダイオードによって入射光量に応じた量の信号電荷に変換される。
【００３５】
タイミングジェネレータ（ＴＧ）７６は、ＣＰＵ５０からの指令に従い、主として撮像素子７４を駆動するためのタイミング信号を生成する。撮像素子７４は、このタイミングジェネレータ７６から加えられるタイミング信号に従って各フォトダイオードに蓄積された信号電荷を電圧信号（画像信号）として出力する。
【００３６】
アナログ信号処理回路７８は、撮像素子７４から順次出力される画像信号を相関二重サンプリング処理するとともに増幅する。Ａ／Ｄ変換器８０は、このアナログ信号処理回路７８から出力されたＲ、Ｇ、Ｂのアナログの画像信号をデジタルの画像信号に変換する。
【００３７】
画像入力コントローラ８２は、所定容量のバッファメモリを内蔵しており、Ａ／Ｄ変換器８０から出力された１コマ分の画像信号を蓄積して、メモリ６０に格納する。
【００３８】
画像信号処理回路８４は、同時化回路、ガンマ補正回路、輪郭補正回路、輝度・色差信号生成回路等を含み、ＣＰＵ５０からの指令に従ってメモリ６０に格納された画像信号を処理し、輝度信号と色差信号とからなるＹＵＶ信号を生成する。
【００３９】
液晶モニタ２４にスルー画を表示させる場合は、撮像素子７４で連続的に画像を撮像し、得られた画像信号を連続的に処理してＹＵＶ信号を生成する。生成されたＹＵＶ信号は、ＶＲＡＭ６２を介してエンコーダ９２に加えられ、液晶表示用の信号形式に変換されて液晶モニタ２４に出力される。これにより、液晶モニタ２４にスルー画が表示される。
【００４０】
画像を記録する場合は、撮影指令に応じて撮像素子７４で画像を撮像し、得られた画像信号を処理してＹＵＶ信号を生成する。生成されたＹＵＶ信号は、圧縮・伸張処理回路８６に加えられ、所定の圧縮画像データとされたのち、メディアコントローラ８８を介して記憶メディア（メモリカード）９０に格納される。
【００４１】
記憶メディア９０に格納された圧縮画像データは、再生指令に応じてメディアコントローラ８８を介して読み出され、圧縮・伸張処理回路８６で非圧縮のＹＵＶ信号とされた後、エンコーダ９２を介して液晶モニタ２４に出力される。これにより、記憶メディア９０に記録された画像が液晶モニタ２４に再生表示される。
【００４２】
ＡＥ／ＡＷＢ検出回路９４は、ＣＰＵ５０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ５０は、このＡＥ／ＡＷＢ検出回路９４から得た積算値に基づいて被写体の明るさ（被写体輝度）を検出し、所定のプログラム線図から絞り値とシャッタスピードを決定する。
【００４３】
また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ５０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００４４】
ＡＦ検出回路９６は、ＣＰＵ５０からの指令に従って、入力された画像信号からＡＦ制御に必要な物理量を算出する。本実施の形態のデジタルカメラ１０では、画像のコントラストによりＡＦ制御を行うものとし、ＡＦ検出回路９６は、入力された画像信号から画像の鮮鋭度を示す焦点評価値を算出する。ＣＰＵ５０は、このＡＦ検出回路９６で算出される焦点評価値が極大となるように、フォーカスモータドライバ６８を介してフォーカスモータを駆動し、フォーカスレンズ１０８Ｆの移動を制御する。
【００４５】
ストロボ制御回路９８は、ＣＰＵ５０からの指令に従ってストロボ１６の発光を制御する。
【００４６】
音声入力処理回路１００は、ＣＰＵ５０からの指令に従ってマイク１１２を介して入力された音声信号を処理し、音声出力処理回路１０２は、ＣＰＵ５０からの指令に従ってスピーカ１１４から出力するための音声信号を処理する。
【００４７】
電源制御回路１０４は、ＣＰＵ５０からの指令に従ってバッテリ１０５からデジタルカメラ１０の各部に供給する電力を制御する。
【００４８】
タッチパネル処理回路１０６は、図１に示したカメラ本体１２の前面に設けられたタッチパネル１８においてタッチされた位置（ポイント位置）を読み取り、その座標値を示すポイント位置情報をＣＰＵ５０に与える。ＣＰＵ５０は、タッチパネル処理回路１０６から得られたポイント位置情報に基づいてタッチパネル１８に対する操作を検出し、その操作に応じた処理を実行する。尚、タッチパネル１８の操作についての詳細は後述する。
【００４９】
次に、前述のごとく構成された本実施の形態のデジタルカメラ１０の基本的な作用について説明する。前述のようにデジタルカメラ１０は、「撮影モード」に設定されると、画像の記録が可能になり、「再生モード」に設定されると、記録済み画像の再生が可能になる。
【００５０】
はじめに、「撮影モード」に設定された時のデジタルカメラ１０の処理動作について説明する。撮影モードに設定されると、デジタルカメラ１０は、シャッタボタン２０の半押しでＡＥ、ＡＦ、ＡＷＢ処理を実行し、全押しで画像の記録処理を実行する。
【００５１】
まず、シャッタボタン２０が半押しされると、撮像素子７４から出力された画像信号が、アナログ信号処理回路７８、Ａ／Ｄ変換器８０、画像入力コントローラ８２を介してメモリ６０に取り込まれ、メモリ６０からＡＥ／ＡＷＢ検出回路９４及びＡＦ検出回路９６に加えられる。
【００５２】
ＡＥ／ＡＷＢ検出回路９４は、入力された画像信号からＡＥ制御及びＡＷＢ制御に必要な物理量を算出し、ＣＰＵ５０に出力する。ＣＰＵ５０は、このＡＥ／ＡＷＢ検出回路９４からの出力に基づき露出値（絞り値とシャッタスピード）を決定するとともに、ホワイトバランス補正値を決定する。
【００５３】
また、ＡＦ検出回路９６は、入力された画像信号からＡＦ制御に必要な物理量を算出し、ＣＰＵ５０に出力する。ＣＰＵ５０は、このＡＦ検出回路９６からの出力に基づいてフォーカスモータの駆動を制御し、撮影光学系６６（撮影レンズ１４）のピントを主要被写体に合わせる。
【００５４】
この後、シャッタボタン２０が全押しされると、ＣＰＵ５０は、画像の記録処理を実行する。
【００５５】
まず、上記のＡＥ処理で求めた露出値で撮像素子７４を露光し、記録用の画像信号の取り込みを行う。
【００５６】
撮像素子７４から出力された画像信号は、アナログ信号処理回路７８、Ａ／Ｄ変換器８０、画像入力コントローラ８２を介してメモリ６０に取り込まれ、メモリ６０から画像信号処理回路８４に加えられる。画像信号処理回路８４は、入力された画像信号に対して所要の信号処理を施して画像データ（ＹＵＶデータ）を生成する。生成された画像データは、一旦メモリ６０に格納されたのち、圧縮・伸張処理回路８６に加えられ、所定の圧縮フォーマットで圧縮されて、再度、メモリ６０に格納される。
【００５７】
ＣＰＵ５０は、このメモリ６０に格納された圧縮画像データに対して撮影日時や絞り値、シャッタスピードなどの付属情報を付加した所定フォーマット（たとえばＥｘｉｆ）の画像ファイルを生成し、メディアコントローラ８８を介して記憶メディアに記録する。
【００５８】
なお、所定の操作によって「動画撮影モード」に設定されている場合には、動画像が撮影され、シャッタボタン２０を全押ししている間撮影された動画像が、マイク１１２から取り込まれた音声とともに、所定形式の動画像ファイルとして記憶メディア９０に記録される。
【００５９】
次に、「再生モード」に設定されたときのデジタルカメラ１０の処理動作について説明する。
【００６０】
電源／モードスイッチ２２を「再生位置」に合わせて、カメラのモードを再生モードに設定すると、ＣＰＵ５０は、メディアコントローラ８８にコマンドを出力し、記憶メディア９０に最後に記録された画像ファイルの圧縮画像データを読み出させる。
【００６１】
読み出された圧縮画像データは、圧縮・伸張処理回路８６に加えられ、非圧縮の画像データにされたのち、エンコーダ９２を介して液晶モニタ２４に出力される。これにより、記憶メディア９０に記録されている画像が、液晶モニタ２４に再生表示される。
【００６２】
画像のコマ送りは、所定の操作で行なわれ、１コマ送りの操作が行われると、次のコマ番号の圧縮画像データが、記憶メディア９０から読み出され、所要の伸張処理が施された後、液晶モニタ２４に再生表示される。また、１コマ戻しの操作が行われると、一つ前のコマの圧縮画像データが記憶メディア９０から読み出され、所要の伸張処理が施された後、液晶モニタ２４に再生表示される。
【００６３】
なお、再生対象とする画像ファイルが、動画像の画像ファイルの場合には、液晶モニタ２４に動画像が再生表示されるとともに、スピーカ１１４から音声が再生される。
【００６４】
次に、タッチパネル１８に関して説明する。図１、図２に示したように液晶モニタ２４が配設されるカメラ本体１２の背面側とは反対向きの正面側にタッチパネル１８が配設されている。タッチパネル１８は、液晶モニタ２４に対して同一形状（矩形）で略同一の大きさに形成されており、かつ、カメラ本体１２の背面側からタッチパネル１８を透視したときにタッチパネル１８の位置が液晶モニタ２４の位置に略合致している。
【００６５】
このようにして設けられたタッチパネル１８での操作により、液晶モニタ２４の画面に表示された情報等に対応した所定の指示が入力される。通常、接触式のポインティングデバイスとしてタッチパネルを用いる場合、タッチパネルは液晶モニタの画面に配設され、画面に対して表面側から操作が行われるようになっている。これに対して、本実施の形態のタッチパネル１８は、ポインティングデバイスとして用いられることは同じであるが、液晶モニタ２４の画面に対して背面側から操作する点で相違している。そのため、タッチパネル１８の操作を行う際に、液晶モニタ２４の画面が操作する手等で隠れて見づらくなるという問題が生じないという利点や、撮影者がフレーミングのためにカメラ本体１２を手で把持した状態でそのままその手の指でタッチパネル１８を操作することができるという利点もある。
【００６６】
一方、タッチパネル１８でタッチされたポイント位置は図３に示したタッチパネル処理回路１０６によって検出され、例えば、タッチパネル１８（の検出面上）においてタッチされたポイント位置の座標値を示すポイント位置情報がＣＰＵ５０に与えられる。ＣＰＵ５０は、そのポイント位置情報に基づいてタッチパネル１８でのポイント位置に対応する液晶モニタ２４の画面上での位置を操作者が指定したポイント位置として認識する。
【００６７】
図４に示すようにタッチパネル１８の検出面上での各点と、液晶モニタ２４の画面上での各点とは鏡像の関係で１対１に対応付けられている。即ち、タッチパネル１８と液晶モニタ２４をそれぞれ対向した方向から見たときに、タッチパネル１８の検出面の左上隅、右上隅、左下隅、右下隅の点は、それぞれ液晶モニタ２４の画面の右上隅、左上隅、右下隅、左下隅の点に対応付けられている。また、例えばタッチパネル１８の検出面上で左上の点Ｐは、液晶モニタ２４の画面上で右上の点Ｐ′に対応付けられている。
【００６８】
ここで、仮に、タッチパネル１８と液晶モニタ２４をそれぞれ対向した方向から見たときに左上隅を原点として右方向をＸ軸方向とし、下方向をＹ軸方向としてタッチパネル１８の検出面上の各点と、液晶モニタ２４の画面上の各点をＸ−Ｙ座標で表すと共に、各面でのＸ座標値の最大値とＹ座標値の最大値とが一致しているものとする。
【００６９】
このとき、タッチパネル１８の検出面上でのＸ−Ｙ座標値をそのまま液晶モニタ２４の画面上でのＸ−Ｙ座標値として対応付けたとすると、例えば、タッチパネル１８の検出面上での左上の点Ｐは、液晶モニタ２４の画面上でも左上の点Ｐｍに対応する。従って、タッチパネル１８の検出面上での各点と、液晶モニタ２４の画面上での各点とを鏡像の関係で対応付けるために、タッチパネル１８の検出面上でのＸ−Ｙ座標値をそのまま液晶モニタ２４の画面上でのＸ−Ｙ座標値として対応付けるのではなく、そのＸ−Ｙ座標値に対して液晶モニタ２４の画面の中心を通るＹ方向の中心線を軸として軸対称となるＸ−Ｙ座標値を対応付ける。これによって、例えば、タッチパネル１８の検出面上で左上の点Ｐは、対応付けられる液晶モニタ２４の画面上での点は、左上の点Ｐｍから右上の点Ｐ′となり、鏡像の関係で対応付けられる。
【００７０】
ＣＰＵ５０は、タッチパネル処理回路５２からポイント位置情報として得られたＸ−Ｙ座標値に対してこのように対応付けられた液晶モニタ２４の画面上でのＸ−Ｙ座標値を求め、そのＸ−Ｙ座標値の画面上での位置がポイント位置（入力位置）として撮影者によって指定されたものと認識する。
【００７１】
尚、タッチパネル１８と液晶モニタ２４の大きさ等は、本実施の形態のように略一致している必要はなく、タッチパネル１８の検出面上の各点（座標値）と液晶モニタ２４の画面上の各点が図４のように一対一に対応付けできる関係であればよい。
【００７２】
続いて、タッチパネル１８の操作に関して具体的な態様について説明する。まず、第１の態様として液晶モニタ２４にメニュー画面等が表示されている際に、撮影者がタッチパネル１８での操作により液晶モニタ２４の画面上の所望のポイント位置を指定すると、そのポイント位置に対応する処理が実行されるようにした態様について説明する。図５は、第１の態様におけるＣＰＵ５０の処理手順を示したフローチャートである。まず、ＣＰＵ５０は、タッチパネル処理回路１０６からのポイント位置情報に基づいてタッチパネル１８に触れられた（タッチされた）か否かを判定する（ステップＳ１０）。即ち、ポイント位置情報がいずれかのポイント位置の座標値を示す場合にはタッチパネル１８に触れられたと判定し、いずれのポイント位置の座標値も示さない場合にはタッチパネル１８に触れられていないと判定する。この判定処理においてＮＯと判定した場合には、ステップＳ１０の判定処理を繰り返す。尚、実際にはステップＳ１０においてＮＯと判定している間、ＣＰＵ５０は他の処理も実行している。
【００７３】
ステップＳ１０においてＹＥＳと判定した場合、続いて、ダブルクリックの操作か否かを判定する（ステップＳ１２）。即ち、タッチパネル処理回路１０６から得られたポイント位置情報に基づいて任意のポイント位置をタッチして離す操作が所定時間以内に２度生じたか否かを判定する。ＮＯと判定した場合、タッチパネル１８に触れられたポイント位置に対応する液晶モニタ２４の画面上の位置を撮影者が指定したポイント位置としてポインタを表示する（ステップＳ１４）。続いて、タッチパネル１８から指が離されたか否かを判定する（ステップＳ１６）。即ち、タッチパネル処理回路１０６から得られるポイント位置情報がいずれのポイント位置の座標値も示さない情報となったか否かを判定する。このステップＳ１６の判定処理においてＹＥＳと判定した場合には、ステップＳ１０に戻る。一方、ＮＯと判定した場合には、続いてタッチパネル処理回路１０６から得られたポイント位置情報が示すポイント位置が移動したか否かを判定する（ステップＳ１８）。即ち、ドラッグの操作が行われたか否かを判定する。このステップＳ１８の判定処理においてＮＯと判定した場合にはステップＳ１６に戻る。一方、ＹＥＳと判定した場合には、液晶モニタ２４の画面上におけるポインタの表示位置を、ポイント位置情報により得られたポイント位置に対応する画面上のポイント位置に変更する（ステップＳ２０）。そして、ステップＳ１６に戻る。
【００７４】
以上のステップＳ１６〜ステップＳ２０の処理により、撮影者はタッチパネル１８をワンタッチ操作することによって液晶モニタ２４の画面上の所望の位置をポイント位置（入力位置）として指定することができると共にタッチパネル１８にタッチした位置が画面上のどの位置に対応しているかを画面上に表示されるポインタによって容易に認識することができる。また、タッチパネル１８でのドラッグの操作により液晶モニタ２４の画面上の所望の位置にポインタ（ポイント位置）を移動させることができる。
【００７５】
一方、ＣＰＵ５０は、上記ステップＳ１２においてＹＥＳと判定した場合、即ち、ダブルクリックの操作が行われたと判定した場合、その直前に指定されていたポイント位置に対応する処理を実行する（ステップＳ２２）。
【００７６】
尚、上述の処理の場合、タッチパネル１８をダブルクリックすると、撮影者が指定したポイント位置に対応した処理が実行されるが、ダブルクリックすることなく、撮影者がタッチパネル１８に指で触れた後、指を離した時点で、そのときのポイント位置に対応する処理が実行されるようにしてもよい。
【００７７】
次に、第２の態様として、タッチパネル１８の操作によりズーム操作を行う場合について説明する。図６、図７はタッチパネル１８によるズーム操作の様子を示した図である。撮影モード（撮影スタンバイ時）において撮影を行う際に、液晶モニタ２４の画面に例えば図６、図７に示すようなスルー画が表示され、所定の操作によってズーム選択モードに設定したとする。このとき、その画面上の所望の位置として例えば図７（Ａ）のポイントＡに対応するタッチパネル１８の位置を指でタッチすると、ポイントＡ（ポイントＡを示すポインタ）が画面上に表示される。そして、そのまま画面外側に向けて図７（Ａ）のポイントＢに対応する位置までドラッグしてタッチパネル１８から指を離すと、ポイントＢ（ポイントＢを示すポインタ）が画面上に表示される。これによってポイントＡの位置（ポイントＡに表示されている物点）がポイントＢの位置となるように撮影画角（ズーム倍率）が決定される。続いて、タッチパネル１８の任意の位置をダブルクリックすると、撮影光学系６６のズームレンズ１０８Ｚが駆動され、ポイントＡとポイントＢによって決定された撮影画角（ズーム倍率）に変更される。この操作によって液晶モニタ２４に表示されるスルー画が図７（Ａ）から図７（Ｂ）のように変化し、表示画像が拡大される。尚、ズーム倍率を変更した場合であっても撮影光学系６６の中心点は保持されるため、上述のように一点の位置（ポイントＡ）を移動させる位置（ポイントＢ）を指定するのみでズーム倍率を決定することが可能である。
【００７８】
同様に、液晶モニタ２４の画面上の所望の位置として例えば図８（Ｂ）のポイントＡに対応するタッチパネル１８の位置を指でタッチすると、ポイントＡが画面上に表示される。そして、そのまま画面内側に向けて図８（Ｂ）のポイントＢに対応する位置までドラッグしてタッチパネル１８から指を離すと、ポイントＢが画面上に表示される。これによってポイントＡの位置がポイントＢの位置となるように撮影画角が決定される。続いて、タッチパネル１８の任意の位置をダブルクリックすると、撮影光学系６６のズームレンズ１０８Ｚが駆動され、ポイントＡとポイントＢによって決定された撮影画角（ズーム倍率）に変更される。この操作によって液晶モニタ２４に表示されるスルー画が図８（Ａ）から図８（Ｂ）のように変化し、表示画像が縮小される
第２に態様におけるＣＰＵ５０の処理手順を図８のフローチャートで説明すると、ＣＰＵ５０は、まず、タッチパネル処理回路１０６からのポイント位置情報に基づいてタッチパネル１８に触れられたか否かを判定する（ステップＳ３０）。ＮＯと判定した場合には、ステップＳ３０の判定処理を繰り返す。
【００７９】
一方、ステップＳ３０においてＹＥＳと判定した場合、続いて、ダブルクリックの操作か否かを判定する（ステップＳ３２）。ＮＯと判定した場合、タッチパネル１８に触れられたポイント位置に対応する液晶モニタ２４の画面上の位置を撮影者が指定したポイントＡの位置として確定する（ステップＳ３４）。
【００８０】
続いてＣＰＵ５０は、タッチパネル１８から指が離されたか否かを判定する（ステップＳ３６）。ＮＯと判定した場合には、タッチパネル処理回路１０６から得られたポイント位置情報が示すポイント位置が移動したか否かを判定する（ステップＳ３８）。ＮＯと判定した場合には、ステップＳ３６に戻る。ＹＥＳと判定した場合には液晶モニタ２４の画面上におけるポインタの表示位置を、ポイント位置情報により得られたポイント位置に対応する画面上のポイント位置に変更する（ステップＳ４０）。そして、ステップＳ３６に戻る。
【００８１】
ステップＳ３６においてＹＥＳ、即ち、タッチパネル１８から指が離されたと判定した場合にはその直前にタッチパネル処理回路１０６から与えられたポイント位置情報のポイント位置に対応した画面上の位置を撮影者が指定したポイントＢの位置として確定する（ステップＳ４２）。続いて、ＣＰＵ５０は、ポイントＡがポイントＢの位置にくるようなズーム倍率を求める（ステップＳ４４）。そして、ステップＳ３０に戻る。
【００８２】
ステップＳ３２においてＹＥＳ、即ち、ダブルクリックの操作が行われた場合、ステップＳ４４で求めたズーム倍率となるようにズームレンズ１０８Ｚを駆動制御する（ステップＳ４６）。そして、ステップＳ３０に戻る。
【００８３】
尚、上述の処理では、タッチパネル１８をダブルクリックするとズームレンズ１０８Ｚが実際に駆動されるが、ダブルクリックすることなく、撮影者がタッチパネル１８に指で触れてポイントＡが確定した後、タッチパネル１８から指を離してポイントＢが確定した時点でズームレンズ１０８Ｚを駆動してズーム倍率を変更してもよい。
【００８４】
次に、第３の態様として、タッチパネル１８での操作により自動焦点調節（ＡＦ）におけるフォーカスポイントを設定する操作を行う場合について説明する。撮影モード（撮影スタンバイ時）においてＡＦにより撮影を行う際に、液晶モニタ２４の画面に例えば図９に示すようなスルー画が表示されているものとする。このときタッチパネル１８の所望の位置をタッチすると、そのタッチしたポイント位置に対応する液晶モニタ２４の画面上の位置にフォーカスポイントを示す符号Ｆ１、Ｆ２、Ｆ３のようなポインタが表示される。尚、フォーカスポイントを、以下、ポイントＡという。タッチパネル１８をタッチした状態でそのままドラッグの操作を行うと、それに連動してポインタ（ポイントＡ）が移動する。
【００８５】
続いて、タッチパネル１８をダブルクリックすると、実際にフォーカスレンズ１０８Ｆが駆動され、指定したポイントＡの位置の被写体にピントが合わせられる。
【００８６】
これによって、例えば、図９においてポインタＦ１のように人物の顔の部分の位置をポイントＡとして指定し、タッチパネル１８をダブルクリックすると、人物の顔の部分にピントが合わせられ、同様にポインタＦ２のように看板の位置をポイントＡとして指定し、又は、ポインタＦ３のように山の位置をポイントＡとして指定し、タッチパネル１８をダブルクリックすると、看板又は山にピントが合わせられる。
【００８７】
第３の態様におけるＣＰＵ５０の処理手順を図１０のフローチャートで説明すると、ＣＰＵ５０は、まず、タッチパネル処理回路１０６からのポイント位置情報に基づいてタッチパネル１８に触れられたか否かを判定する（ステップＳ５０）。ＮＯと判定した場合には、ステップＳ５０の判定処理を繰り返す。
【００８８】
一方、ステップＳ５０においてＹＥＳと判定した場合、続いて、ダブルクリックの操作か否かを判定する（ステップＳ５２）。ＮＯと判定した場合、タッチパネル１８に触れられたポイント位置に対応する液晶モニタ２４の画面上の位置を撮影者が指定したポイントＡの位置として確定する（ステップＳ５４）。
【００８９】
続いてＣＰＵ５０は、タッチパネル１８から指が離されたか否かを判定する（ステップＳ５６）。ＮＯと判定した場合には、タッチパネル処理回路１０６から得られたポイント位置情報が示すポイント位置が移動したか否かを判定する（ステップＳ５８）。ＮＯと判定した場合には、ステップＳ５６に戻る。ＹＥＳと判定した場合には液晶モニタ２４の画面上におけるポインタの表示位置（ポイントＡの位置）を、ポイント位置情報により得られたポイント位置に対応する画面上のポイント位置に変更する（ステップＳ６０）。そして、ステップＳ５６に戻る。
【００９０】
ステップＳ５６においてＹＥＳ、即ち、タッチパネル１８から指が離されたと判定した場合にはステップＳ５０に戻る。  ステップＳ５２においてＹＥＳ、即ち、ダブルクリックの操作が行われた場合、そのとき設定されているポイントＡの被写体にピントが合うようにフォーカスレンズ１０８Ｆを駆動制御する（ステップＳ６２）。
【００９１】
尚、上述の処理では、タッチパネル１８をダブルクリックするとＡＦによりフォーカスレンズ１０８Ｆが実際に駆動されるが、ダブルクリックを行うことなく、撮影者がタッチパネル１８に指で触れた後、指を離してポイントＡが確定した時点でＡＦによるフォーカスレンズ１０８Ｆの駆動を実行するようにしてもよい。また、タッチパネル１８をダブルクリックすると、そのダブルクリックした位置をフォーカスポイント（ポイントＡ）としてＡＦによるフォーカスレンズ１０８Ｆの駆動を実行するようにしてもよいし、例えば、フォーカス位置選択モードを設けて、そのモードに設定された場合には、タッチパネル１８のシングルクリックによって、クリックした位置をフォーカスポイントとしてＡＦによるフォーカスレンズ１０８Ｆの駆動を実行するようにしてもよい。
【００９２】
次に、第４の態様として、タッチパネル１８での操作により撮影済み画像をトリミングする操作を行う場合について説明する。再生モードにおいて液晶モニタ２４に例えば図１１（Ａ）に示すような撮影済みの画像が表示されているものとする。その画像上の所望の位置として図１１（Ａ）のポイントＡに対応するタッチパネル１８の位置をタッチし、そのまま図１１（Ａ）のポイントＢに対応する位置までドラッグしたとすると、ポイントＡとポイントＢとを結ぶ直線を対角線とする矩形状の枠Ｔがトリミングする画像範囲（トリミング範囲）として決定される。そして、タッチパネル１８をダブルクリックすると、そのトリミング範囲の画像が切り出されて図１１（Ｂ）のように液晶モニタ２４の画面に拡大表示される。
【００９３】
第４の態様におけるＣＰＵ５０の処理手順を図１２のフローチャートで説明すると、ＣＰＵ５０は、まず、タッチパネル処理回路１０６からのポイント位置情報に基づいてタッチパネル１８に触れられたか否かを判定する（ステップＳ８０）。ＮＯと判定した場合には、ステップＳ８０の判定処理を繰り返す。
【００９４】
一方、ステップＳ８０においてＹＥＳと判定した場合、続いて、ダブルクリックの操作か否かを判定する（ステップＳ８２）。ＮＯと判定した場合、タッチパネル１８に触れられたポイント位置に対応する液晶モニタ２４の画面上の位置を撮影者が指定したポイントＡの位置として確定する（ステップＳ８４）。
【００９５】
続いてＣＰＵ５０は、タッチパネル１８から指が離されたか否かを判定する（ステップＳ８６）。ＮＯと判定した場合には、タッチパネル処理回路１０６から得られたポイント位置情報が示すポイント位置が移動したか否かを判定する（ステップＳ８８）。ＮＯと判定した場合にはステップＳ８６に戻る。ＹＥＳと判定した場合には、液晶モニタ２４の画面上におけるポインタの表示位置を、ポイント位置情報により得られたポイント位置に対応する画面上のポイント位置に変更する（ステップＳ９０）。そして、ステップＳ８６に戻る。
【００９６】
ステップＳ８６においてＹＥＳ、即ち、タッチパネル１８から指が離されたと判定した場合にはその直前にタッチパネル処理回路１０６から与えられたポイント位置情報のポイント位置に対応した画面上の位置を撮影者が指定したポイントＢの位置として確定する（ステップＳ９２）。続いて、ＣＰＵ５０は、ポイントＡとポイントＢと結ぶ直線が対角線となるような枠範囲を画角範囲（トリミング範囲）として設定する（ステップＳ９４）。そしてステップＳ８０に戻る。
【００９７】
ステップＳ８２においてＹＥＳ、即ち、ダブルクリックの操作が行われた場合、トリミング処理を実行し、ステップＳ９４で確定した画角範囲の画像を切り出して液晶モニタ２４の画面に拡大表示させる（ステップＳ９６）。
【００９８】
尚、上述の処理では、ダッチパネル１８をダブルクリックすると、トリミング処理が実行されるが、ダブルクリックすることなく、撮影者がタッチパネル１８に指で触れてポイントＡが確定した後、タッチパネル１８から指を反してポイントＢが確定した時点でトリミング処理を実行してもよい。
【００９９】
以上、上記実施の形態では、本発明をデジタルカメラに適用した場合を例に説明したが、本発明の適用は、これに限定されるものではない。たとえば、ビデオカメラ、カメラ付き携帯電話機等のように、撮像装置を備えた携帯機器において適用できる。また、撮像装置を備えていない携帯機器であっても液晶モニタ等の情報表示部を備え、かつ、操作者からの指示入力が行われるものに適用できる。
【０１００】
また、タッチパネル１８の操作によって行える指示入力の種類や、操作の態様については上記実施の形態で示したもの限らない。
【０１０１】
また、上記実施の形態では、液晶モニタ２４が配置される面に対して反対向きの面にタッチパネル１８を設けるようにしたが、タッチパネル１８は、液晶モニタ２４と異なる任意に位置に設けることができ、液晶モニタ２４が配置される面に対して反対向きの面でなくてもよい。
【０１０２】
また、上記実施の形態における液晶モニタ２４のように情報を表示する情報表示部は液晶以外のものであってもよく、また、タッチパネル１８のように接触位置を検出する接触式のポインティングデバイスもどのような仕組みのものであってよい。
【図面の簡単な説明】
【０１０３】
【図１】本発明が適用されたデジタルカメラの外観を示した正面斜視図。
【図２】本発明が適用されたデジタルカメラの外観を示した背面斜視図。
【図３】デジタルカメラの電気的構成を示したブロック図。
【図４】タッチパネルと液晶モニタの画面との対応関係の説明に使用した図。
【図５】タッチパネルの操作に関して第１の態様におけるＣＰＵの処理手順を示したフローチャート。
【図６】タッチパネルの操作に関して第２の態様の説明に使用した説明図。
【図７】タッチパネルの操作に関して第２の態様の説明に使用した説明図。
【図８】タッチパネルの操作に関して第２の態様におけるＣＰＵの処理手順を示したフローチャート。
【図９】タッチパネルの操作に関して第３の態様の説明に使用した説明図。
【図１０】タッチパネルの操作に関して第３の態様におけるＣＰＵの処理手順を示したフローチャート。
【図１１】タッチパネルの操作に関して第４の態様の説明に使用した説明図。
【図１２】タッチパネルの操作に関して第４の態様におけるＣＰＵの処理手順を示したフローチャート。
【符号の説明】
【０１０４】
１０…デジタルカメラ、１２…カメラ本体、１４…撮影レンズ、１８…タッチパネル、２０…シャッタボタン、２２…電源／モードスイッチ、２４…液晶モニタ、５０…ＣＰＵ、５２…操作部、５６…ＲＯＭ、５８…ＥＥＰＲＯＭ、６０…メモリ、６２…ＶＲＡＭ、６６…撮影光学系、６８…フォーカスモータドライバ、７０…ズームモータドライバ、７２…アイリスモータドライバ、７４…撮像素子、７６…タイミングジェネレータ、７８…アナログ信号処理回路、８０…Ａ／Ｄ変換器、８２…画像入力コントローラ、８４…画像信号処理回路、８６…圧縮・伸張処理回路、８８…メディアコントローラ、９０…記憶メディア（メモリカード）、９２…エンコーダ、９４…ＡＥ／ＡＷＢ検出回路、９６…ＡＦ検出回路、９８…ストロボ制御回路、１００…音声入力処理回路、１０２…音声出力処理回路、１０４…電源制御回路、１０６…タッチパネル処理回路、１０８Ｆ…フォーカスレンズ、１０８Ｚ…ズームレンズ
【図１】
2006319903.tif 000003
【図２】
2006319903.tif 000004
【図３】
2006319903.tif 000005
【図４】
2006319903.tif 000006
【図５】
2006319903.tif 000007
【図６】
2006319903.tif 000008
【図７】
2006319903.tif 000009
【図８】
2006319903.tif 000010
【図９】
2006319903.tif 000011
【図１０】
2006319903.tif 000012
【図１１】
2006319903.tif 000013
【図１２】
2006319903.tif 000014